(57)【要約】      （修正有）【課題】液体の液体流路の流通過程における圧力損失に起因する液体噴射時のボリューム差による画質への影響を低減することができるヘッドチップ、液体噴射ヘッドおよび液体噴射記録装置の提供。【解決手段】第１ノズル列に連通する複数の第１液体噴射チャネル１３Ａ１のそれぞれに対して第１の流れＦ１で液体を供給する第１流路３１、及び、第１流路３１と接続されると共に液体の流出口４３ａが設けられ、第１ノズル列に並設された第２ノズル列に連通する複数の第２液体噴射チャネル１３Ｂ１のそれぞれに対して第１の流れＦ１と逆向きの第２の流れＦ２で第１流路３１を流通した液体を供給する第２流路３２、を備える液体流路３０、を有する。【選択図】図４
2013199040.tif 000002
【特許請求の範囲】
【請求項１】
第１ノズル列に連通する複数の第１液体噴射チャネルを有する第１アクチュエータープレートと、
前記第１アクチュエータープレートと積層して設けられ、前記第１ノズル列に並設された第２ノズル列に連通する複数の第２液体噴射チャネルを有する第２アクチュエータープレートと、
液体の流入口が設けられ、前記第１液体噴射チャネルのそれぞれに対して第１の流れで前記液体を供給する第１流路、及び、前記第１流路と接続されると共に前記液体の流出口が設けられ、前記第２液体噴射チャネルのそれぞれに対して前記第１の流れと逆向きの第２の流れで前記第１流路を流通した前記液体を供給する第２流路、を備える液体流路と、
を有する、ことを特徴とするヘッドチップ。
【請求項２】
前記第１流路及び前記第２流路は、所定方向に延在し、並設されており、
前記液体流路は、前記所定方向の一端側において前記第１流路と前記第２流路とを接続する接続路と、前記所定方向の他端側において前記第１流路と前記第２流路とを非接続とする仕切りと、を有し、
前記流入口及び前記流出口は、前記所定方向の他端側に設けられている、ことを特徴とする請求項１に記載のヘッドチップ。
【請求項３】
前記接続路は、前記第１アクチュエータープレート及び前記第２アクチュエータープレートに開口する貫通孔である、ことを特徴とする請求項２に記載のヘッドチップ。
【請求項４】
前記第１流路及び前記第２流路は、所定方向に延在し、並設されており、
前記液体流路は、前記所定方向の一端側において前記第１流路と前記第２流路とを接続する第１接続路と、前記所定方向の他端側において前記第１流路と前記第２流路とを接続する第２接続路と、を有し、
前記流入口及び前記流出口は、前記所定方向の一端側と他端側との間の中間位置に設けられている、ことを特徴とする請求項１に記載のヘッドチップ。
【請求項５】
前記第１接続路及び前記第２接続路は、前記第１アクチュエータープレート及び前記第２アクチュエータープレートにそれぞれ開口する貫通孔である、ことを特徴とする請求項４に記載のヘッドチップ。
【請求項６】
前記第１液体噴射チャネル及び前記第２液体噴射チャネルの少なくともいずれか一方の、少なくとも一部を覆うカバープレートを有し、
前記カバープレートは、前記液体流路の少なくとも一部を形成する、ことを特徴とする請求項１〜５のいずれか一項に記載のヘッドチップ。
【請求項７】
請求項１に記載のヘッドチップを有する、ことを特徴とする液体噴射ヘッド。
【請求項８】
前記液体流路の少なくとも一部を形成する溝部を備える流路部材を有する、ことを特徴とする請求項７に記載の液体噴射ヘッド。
【請求項９】
請求項７に記載の液体噴射ヘッドと、
前記液体噴射ヘッドに液体を供給する液体供給部と、
前記液体噴射ヘッドと対向する位置を通過するように被記録媒体を搬送する被記録媒体搬送部と、を有する、ことを特徴とする液体噴射記録装置。
【請求項１０】
前記液体噴射ヘッドが、前記ヘッドチップのノズル列の延在方向に複数並んで配置されている、ことを特徴とする請求項９に記載の液体噴射記録装置。
【発明の詳細な説明】
【技術分野】
【０００１】
本発明は、ヘッドチップ、液体噴射ヘッドおよび液体噴射記録装置に関するものである。
【背景技術】
【０００２】
液体噴射記録装置として、被記録媒体等にインクや機能液等を噴射して文字や図形等の所定のパターンを記録するインクジェット方式の記録装置が知られている。この方式は、例えば、インクや機能液等の液体を液体タンクから供給管を介して液体噴射ヘッドに供給し、そのヘッドチップに設けられた液体噴射チャネルに液体を充填させる。そして、電圧の印加により液体噴射チャネルを変形させ、それによる容量の変化によって、充填された液体を連通するノズルから噴射するよう構成されている。
【０００３】
下記特許文献１に開示されているインクジェット記録装置は、インクジェットヘッドにインクを供給するインク供給系について、インクジェットヘッドとインクタンクとの間でインクを循環させる循環系を採用している。インクジェットヘッドは、ノズル列に沿って延在する共通インク室を有し、この共通インク室の一端側にインク供給流路が接続され、この共通インク室の他端側にインク排出流路が接続されている。インク供給流路及びインク排出流路は、インクタンクに接続されている。
【０００４】
この構成によれば、インク供給流路から供給されたインクは、共通インク室を一端側から他端側に流通した後、インク排出流路に導入される。インク排出流路に導入されたインクは、インクタンクに戻り、インクタンクに接続されたインク供給流路から再び共通インク室に供給される。したがって、インクジェットヘッド内のインクをフレッシュなインクで置換することができ、インクジェットヘッド内の気泡や成分が沈殿したインクをノズルから吸引して廃棄するためのインク量を低減できる効果がある。
【先行技術文献】
【特許文献】
【０００５】
【特許文献１】特開２００６−２５６０２２号公報
【発明の概要】
【発明が解決しようとする課題】
【０００６】
ところで、上記のようなインクの流入口と流出口を有する液体流路を用いたインク循環系のインクジェットヘッドにおいては、ヘッド内の圧力損失によって、流入口側と流出口側に圧力差が生まれる。そうすると、流入口に近いノズルと流出口に近いノズルとの間にはインク噴射時にボリューム差が生じ、ノズル順にインクボリュームが漸次低減するため、ノズル列方向に濃淡グラデーションが現れ、画質に影響を与える問題がある。
【０００７】
特に、インクジェットヘッドがノズル列の延在方向に複数並んで配置されている場合、流出口に近くインクボリュームが小さいノズルと、流入口に近くインクボリュームが大きいノズルとが隣り合って配置されることとなる。そうすると、両ノズル間で濃淡のコントラストが際立ってしまい、そのコントラストがインクジェットヘッドの間にスジのように現れ、画質に影響を与える問題がある。
【０００８】
本発明は、上記問題点に鑑みてなされたものであり、液体の液体流路の流通過程における圧力損失に起因する液体噴射時のボリューム差による画質への影響を低減することができるヘッドチップ、液体噴射ヘッドおよび液体噴射記録装置の提供を目的とする。
【課題を解決するための手段】
【０００９】
上記の課題を解決するために、本発明は、第１ノズル列に連通する複数の第１液体噴射チャネルを有する第１アクチュエータープレートと、前記第１アクチュエータープレートと積層して設けられ、前記第１ノズル列に並設された第２ノズル列に連通する複数の第２液体噴射チャネルを有する第２アクチュエータープレートと、液体の流入口が設けられ、前記第１液体噴射チャネルのそれぞれに対して第１の流れで前記液体を供給する第１流路、及び、前記第１流路と接続されると共に前記液体の流出口が設けられ、前記第２液体噴射チャネルのそれぞれに対して前記第１の流れと逆向きの第２の流れで前記第１流路を流通した前記液体を供給する第２流路、を備える液体流路と、を有するヘッドチップを採用する。
この構成を採用することによって、本発明では、液体が液体流路を流通する過程における圧力損失による生じた圧力差によって、第１アクチュエータープレートの複数の第１液体噴射チャネルにおいても端から端でボリューム差が生じ、さらに、第２アクチュエータープレートの複数の第２液体噴射チャネルにおいても端から端でボリューム差が生じるが、第１液体噴射チャネルのそれぞれに対して液体を供給する第１の流れと、第２液体噴射チャネルのそれぞれに対して液体を供給する第２の流れは、互いに逆向きとなる。そうすると、第１液体噴射チャネルに対する液体供給の順序（圧力低下順）と、第２液体噴射チャネルに対する液体供給の順序（圧力低下順）が、互いに逆になり、それらが積層して設けられているので、第１ノズル列と第２ノズル列とから近接した位置に着弾する液体ボリュームは、例えば「大、小」の組や、「中、中」の組等といったように、ボリューム総量として見ると、ノズル列の端から端までの均一化を図ることができる。したがって、ノズル順に液体ボリュームが漸次低減することによる濃淡グラデーションの発生を抑制することができる。また、チップ形状も流路もシンプルな構造となり、構造を安価にできる。
【００１０】
また、本発明においては、前記第１流路及び前記第２流路は、所定方向に延在し、並設されており、前記液体流路は、前記所定方向の一端側において前記第１流路と前記第２流路とを接続する接続路と、前記所定方向の他端側において前記第１流路と前記第２流路とを非接続とする仕切りと、を有し、前記流入口及び前記流出口は、前記所定方向の他端側に設けられている、という構成を採用する。
この構成を採用することによって、本発明では、流入口から流入した液体が第１流路を流通した後、接続路により折り返して、逆向きの流れとなって第２流路を流通し、流出口から流出する。このため、圧力損失によって、折り返し位置の所定方向一端側において第１ノズル列及び第２ノズル列から噴射される液体ボリュームは「中、中」の組となり、流入口及び流出口が設けられた所定方向他端側において第１ノズル列及び第２ノズル列から噴射される液体ボリュームは「大、小」の組となる。このため、ボリューム総量として見ると、ノズル列の端から端までの均一化を図ることができる。
【００１１】
また、本発明においては、前記接続路は、前記第１アクチュエータープレート及び前記第２アクチュエータープレートに開口する貫通孔である、という構成を採用する。
この構成を採用することによって、本発明では、第１アクチュエータープレート側を流通した液体が、貫通孔を介して第２アクチュエータープレート側に回り込むことができる。
【００１２】
また、本発明においては、前記第１流路及び前記第２流路は、所定方向に延在し、並設されており、前記液体流路は、前記所定方向の一端側において前記第１流路と前記第２流路とを接続する第１接続路と、前記所定方向の他端側において前記第１流路と前記第２流路とを接続する第２接続路と、を有し、前記流入口及び前記流出口は、前記所定方向の一端側と他端側との間の中間位置に設けられている、という構成を採用する。
この構成を採用することによって、本発明では、中間位置に設けられた流入口から流入した液体が所定方向両側へ向かう外向き流れとなって第１流路を流通した後、第１接続路及び第２接続路によりそれぞれ折り返して、中間位置に設けられた流出口に向かう内向きの流れとなって第２流路を流通し、流出口から流出する。このため、圧力損失によって、折り返し位置の所定方向一端側及び他端側において第１ノズル列及び第２ノズル列から噴射される液体ボリュームは「中、中」の組となり、流入口及び流出口が設けられた所定方向の中間位置において第１ノズル列及び第２ノズル列から噴射される液体ボリュームは「大、小」の組となる。このため、ボリューム総量として見ると、ノズル列の端から端までの均一化を図ることができる。
【００１３】
また、本発明においては、前記第１接続路及び前記第２接続路は、前記第１アクチュエータープレート及び前記第２アクチュエータープレートにそれぞれ開口する貫通孔である、という構成を採用する。
この構成を採用することによって、本発明では、第１アクチュエータープレート側を流通した液体が、それぞれの貫通孔を介して第２アクチュエータープレート側に回り込むことができる。
【００１４】
また、本発明においては、前記第１液体噴射チャネル及び前記第２液体噴射チャネルの少なくともいずれか一方の、少なくとも一部を覆うカバープレートを有し、前記カバープレートは、前記液体流路の少なくとも一部を形成する、という構成を採用する。
この構成を採用することによって、本発明では、カバープレートを用いて、液体流路の少なくとも一部を形成するので、製造コストを低減することができる。
【００１５】
また、本発明においては、先に記載のヘッドチップを有する、液体噴射ヘッドを採用する。
この構成を採用することによって、本発明では、濃淡グラデーションの発生を抑制することができる液体噴射ヘッドが得られる。
【００１６】
また、本発明においては、前記液体流路の少なくとも一部を形成する溝部を備える流路部材を有する、という構成を採用する。
この構成を採用することによって、本発明では、流路部材の溝部によって、液体流路の流路面積を大きく調整できるため、液体流路における液体の流通性を確保することができる。
【００１７】
また、本発明においては、先に記載の液体噴射ヘッドと、前記液体噴射ヘッドに液体を供給する液体供給部と、前記液体噴射ヘッドと対向する位置を通過するように被記録媒体を搬送する被記録媒体搬送部と、を有する、液体噴射記録装置を採用する。
この構成を採用することによって、本発明では、濃淡グラデーションの発生を抑制することができ、被記録媒体に対して高画質のパターンを記録することができる液体噴射記録装置が得られる。
【００１８】
また、本発明においては、前記液体噴射ヘッドが、前記ヘッドチップのノズル列の延在方向に複数並んで配置されている、という構成を採用する。
この構成を採用することによって、本発明では、隣り合う液体噴射ヘッドの両ノズル間で濃淡のコントラストが際立つことがなくなるため、被記録媒体に対してスジの発生を抑制した高画質のパターンを記録することができる。
【発明の効果】
【００１９】
したがって、本発明によれば、液体の液体流路の流通過程における圧力損失に起因する液体噴射時のボリューム差による画質への影響を低減することができるヘッドチップ、液体噴射ヘッドおよび液体噴射記録装置が得られる。
【図面の簡単な説明】
【００２０】
【図１】本発明の実施形態における液体噴射記録装置を示す斜視図である。
【図２】本発明の実施形態における液体噴射ヘッドおよびインク供給手段を含むインクシステムを示す構成図である。
【図３】本発明の実施形態における液体噴射ヘッドの分解斜視図である。
【図４】本発明の実施形態における液体噴射ヘッドの横断面図である。
【図５】本発明の実施形態における液体噴射ヘッドの縦断面図である。
【図６】本発明の実施形態におけるヘッドチップの斜視図である。
【図７】本発明の実施形態におけるヘッドチップの正面図である。
【図８】本発明の実施形態における被記録媒体に対する印字結果を示す概念図である。
【図９】本発明の第２実施形態における液体噴射ヘッドの横断面図である。
【図１０】本発明の第２実施形態における液体噴射ヘッドの縦断面図である。
【図１１】本発明の第２実施形態における被記録媒体に対する印字結果を示す概念図である。
【図１２】本発明の第３実施形態における液体噴射ヘッドの縦断面図である。
【図１３】本発明の第３実施形態における液体噴射ヘッドの流入口及び流入口の配置を示す図である。
【発明を実施するための形態】
【００２１】
以下、本発明の実施形態について図面を参照して説明する。なお、以下の説明では、液体として、インクを噴射するヘッドチップ、液体噴射ヘッドおよび液体噴射記録装置を例示する。
【００２２】
（第１実施形態）
図１は、本発明の実施形態における液体噴射記録装置１を示す斜視図である。
図１に示すように、液体噴射記録装置１は、紙等の被記録媒体Ｓを搬送する一対の搬送手段（被記録媒体搬送部）２，３と、被記録媒体Ｓにインクを噴射する液体噴射ヘッド４と、液体噴射ヘッド４にインクを供給するインク供給手段（液体供給部）５と、液体噴射ヘッド４を被記録媒体Ｓの搬送方向（以下、Ｙ方向と記す。）と略直交する方向（以下、Ｘ方向と記す。）に走査させる走査手段６と、を備えている。
【００２３】
一対の搬送手段２，３は、それぞれＸ方向に延設されたグリッドローラ２ａ，３ａと、グリッドローラ２ａ，３ａに平行して延設されたピンチローラ２ｂ，３ｂと、グリッドローラ２ａ，３ｂを軸回転させるモータ等の図示せぬ駆動機構と、を備えている。
【００２４】
インク供給手段５は、インクが収容されたインクタンク５０と、インクタンク５０と液体噴射ヘッド４とを接続するインク配管５１と、を備えている。インクタンク５０は、複数備えられており、具体的には、イエロー、マゼンタ、シアン、ブラックの４種類のインクのインクタンク５０Ｙ，５０Ｍ、５０Ｃ，５０ＢがＹ方向に並べて設けられている。インク配管５１は、液体噴射ヘッド４（キャリッジ６２）の動作に対応可能な可撓性を有するフレキシブルホースからなる。
【００２５】
走査手段６は、Ｘ方向に延設された一対のガイドレール６０，６１と、一対のガイドレール６０，６１に沿って摺動可能なキャリッジ６２と、キャリッジ６２をＸ方向に移動させる駆動機構６３と、を備えている。駆動機構６３は、一対のガイドレール６０，６１の間に配設された一対のプーリ６４，６５と、一対のプーリ６４，６５間に巻回された無端ベルト６６と、一方のプーリ６４を回転駆動させる駆動モータ６７と、を備えている。
【００２６】
一対のプーリ６４，６５は、一対のガイドレール６０，６１の両端部間にそれぞれ配設されており、Ｘ方向に間隔をあけて配置されている。無端ベルト６６は一対のガイドレール６０，６１間に配設されており、この無端ベルトにはキャリッジ６２が連結されている。キャリッジ６２には複数の液体噴射ヘッド４が搭載されており、具体的には、イエロー、マゼンタ、シアン、ブラックの４種類のインクの液体噴射ヘッド４Ｙ，４Ｍ，４Ｃ，４ＢがＸ方向に並べて搭載されている。
【００２７】
図２は、本発明の実施形態における液体噴射ヘッド４およびインク供給手段５を含むインクシステムを示す構成図である。
図２に示すように、液体噴射記録装置１は、液体噴射ヘッド４にインクを供給するインク供給手段５について、液体噴射ヘッド４とインクタンク５０との間でインクを循環させる循環系を採用している。液体噴射ヘッド４とインクタンク５０との間を接続するインク配管５１は、インク供給配管５１Ａと、インク回収配管５１Ｂと、を含んで構成されている。
【００２８】
インク供給手段５は、ポンプ５２Ａ，５２Ｂと、圧力センサ５３Ａ，５３Ｂと、コントローラ５４と、を有する。ポンプ５２Ａは、インク供給配管５１Ａに設けられ、インクタンク５０のインクを液体噴射ヘッド４に向けて圧送する構成となっている。また、ポンプ５２Ｂは、インク回収配管５１Ｂに設けられ、液体噴射ヘッド４のインクをインクタンク５０に向けて圧送（回収）する構成となっている。
【００２９】
圧力センサ５３Ａは、インク供給配管５１Ａに設けられ、液体噴射ヘッド４に流入する直前のインク圧力を計測し、当該計測結果をコントローラ５４に出力する構成となっている。また、圧力センサ５３Ｂは、インク回収配管５１Ｂに設けられ、液体噴射ヘッド４から流出した直後のインク圧力を計測し、当該計測結果をコントローラ５４に出力する構成となっている。
【００３０】
コントローラ５４は、圧力センサ５３Ａ，５３Ｂの計測結果からポンプ５２Ａ，５２Ｂの駆動を制御することで、循環系内のインク圧力を調整可能な構成となっている。コントローラ５４は、例えば、圧力センサ５３Ａの計測結果と、圧力センサ５３Ｂの計測結果とが同一となるように、ポンプ５２Ａ，５２Ｂの駆動をそれぞれ制御することで、循環系内で圧力センサ５３Ａ，５３Ｂに挟まれた液体噴射ヘッド４におけるインク圧力を略一定に維持・調整することができる。
【００３１】
液体噴射ヘッド４は、流路部材４２，４３が接続されたヘッドチップ４１と、ベースプレート４４と、配線基板４５と、を備えている。
液体噴射ヘッド４は、図１に示すキャリッジ６２の基台６２ａにネジ等で固定されている。ヘッドチップ４１の一面側には、流路部材４２が取り付けられている。また、ヘッドチップ４１の他面側には、流路部材４３が取り付けられている。
【００３２】
流路部材４２，４３の内部には、インクを流通させるための液体流路３０（図２において不図示、後述する図４及び図５参照）が形成されている。流路部材４２には、インク供給配管５１Ａと連通する流入口４２ａが形成されている。また、流路部材４３には、インク回収配管５１Ｂと連通する流出口４３ａが形成されている。
【００３３】
ベースプレート４４は、略垂直に立設されており、このベースプレート４４の表面には配線基板４５が取り付けられている。配線基板４５には、ヘッドチップ４１を制御する図示せぬ制御回路が設けられている。配線基板４５とヘッドチップ４１との間は、フレキシブル基板４６によって電気的に接続されている。
【００３４】
図３は、本発明の実施形態における液体噴射ヘッド４の分解斜視図である。図４は、本発明の実施形態における液体噴射ヘッド４の横断面図である。図５は、本発明の実施形態における液体噴射ヘッド４の縦断面図である。図６は、本発明の実施形態におけるヘッドチップ４１の斜視図である。図７は、本発明の実施形態におけるヘッドチップ４１の正面図である。なお、図４に示す矢視Ａ−Ａ断面は、図５に対応する。図５に示す矢視Ｂ−Ｂ断面は、図４に対応する。
図３に示すように、液体噴射ヘッド４は、ヘッドチップ４１を有する。ヘッドチップ４１には、ノズルプレート１０が設けられている。
【００３５】
ノズルプレート１０には、図１に示す被記録媒体Ｓに向けてインク滴を噴射するノズル孔１１が複数設けられている。ノズルプレート１０は、図３に示すように、複数のノズル孔１１によって形成される第１ノズル列１２Ａと第２ノズル列１２Ｂとを有する。第１ノズル列１２Ａ及び第２ノズル列１２Ｂは、所定方向（Ｙ方向）に延在し、並設されている。本実施形態では、解像度（ｄｐｉ）を向上させるため、第１ノズル列１２Ａに対し第２ノズル列１２Ｂが、半ピッチ分だけＹ方向に変位している。このため、ノズル孔１１は、千鳥状に配置されている。本実施形態の解像度は、第１ノズル列１２Ａで９０ｄｐｉ、第２ノズル列１２Ｂで９０ｄｐｉ、トータルで１８０ｄｐｉとなる。なお、本実施形態では、ノズル孔１１を千鳥状に配置したが、使用目的に合わせて同一位置に配置してもよい。
【００３６】
ヘッドチップ４１は、第１アクチュエータープレート１３Ａを有する。第１アクチュエータープレート１３Ａは、第１ノズル列１２Ａに連通する複数の第１液体噴射チャネル１３Ａ１を有する。第１液体噴射チャネル１３Ａ１は、第１ノズル列１２Ａのノズル孔１１と一対一で対応して設けられ、対応するノズル孔１１と連通しており、いわゆるスリーサイクルタイプとなっている。なお、第１ノズル列１２Ａ及び第２ノズル列１２Ｂは、それぞれＹ方向に一直線である必要はない。例えば、第１ノズル列１２Ａの単列においてＸ方向に隣り合うノズル孔１１がずれて配置していても構わない。
【００３７】
第１アクチュエータープレート１３Ａは、例えばチタン酸ジルコン酸鉛（ＰＺＴ）等の圧電材料からなる矩形プレートである。第１アクチュエータープレート１３Ａの一面側には、第１アクチュエータープレート１３Ａの短手方向（以下、Ｚ方向と記す。）に延びる断面視矩形の凹溝状の第１液体噴射チャネル１３Ａ１が形成されている。第１液体噴射チャネル１３Ａ１は、第１アクチュエータープレート１３Ａの長手方向（Ｙ方向）に所定間隔をあけて複数配列されている。
【００３８】
第１液体噴射チャネル１３Ａ１の先端部は、第１アクチュエータープレート１３Ａの端面まで延在されており、その先はノズルプレート１０によって閉塞されている。第１液体噴射チャネル１３Ａ１の基端部（ノズル孔１１側の反対側の端部）の底面は傾斜されており、基端側に向かうに従い漸次浅くなっている。
【００３９】
第１液体噴射チャネル１３Ａ１には、不図示の電極が設けられている。この電極は、Ｚ方向に延びる帯状の電極であり、第１液体噴射チャネル１３Ａ１の側面の上部に蒸着されている。この電極は、フレキシブル基板４６を介して電圧が印加されることで、厚みすべり変形によって第１液体噴射チャネル１３Ａ１の容量を変化させ、第１液体噴射チャネル１３Ａ１に充填されたインクを噴射させる構成となっている。すなわち、圧電材料からなるプレートの一面側に矩形溝（第１液体噴射チャネル１３Ａ１）を所定ピッチで複数並列に形成することにより、第１アクチュエータープレート１３Ａが形成される。
【００４０】
ヘッドチップ４１は、第２アクチュエータープレート１３Ｂを有する。第２アクチュエータープレート１３Ｂは、第２ノズル列１２Ｂに連通する複数の第２液体噴射チャネル１３Ｂ１を有する。第２液体噴射チャネル１３Ｂ１は、第２ノズル列１２Ｂのノズル孔１１と一対一で対応して設けられ、対応するノズル孔１１と連通しており、いわゆるスリーサイクルタイプとなっている。なお、第２アクチュエータープレート１３Ｂの基本構成は、第１アクチュエータープレート１３Ａと同様であるため詳細な説明は割愛するが、圧電材料からなるプレートの一面側に矩形溝（第２液体噴射チャネル１３Ｂ１）を所定ピッチで複数並列に形成することにより、第２アクチュエータープレート１３Ｂが形成される。
【００４１】
第２アクチュエータープレート１３Ｂは、第１アクチュエータープレート１３Ａと積層して設けられている。本実施形態の第２アクチュエータープレート１３Ｂは、第１アクチュエータープレート１３Ａと背面合せで設けられている。本実施形態の第２アクチュエータープレート１３Ｂは、第２液体噴射チャネル１３Ｂ１が第１液体噴射チャネル１３Ａ１と半ピッチ分だけＹ方向に変位しするように接合されている。このため、第１液体噴射チャネル１３Ａ１及び第２液体噴射チャネル１３Ｂ１は、ノズル孔１１に対応して千鳥状に配置されている。
【００４２】
ヘッドチップ４１は、カバープレート１４，１５を有する。カバープレート１４は、第１アクチュエータープレート１３Ａに重ね合わせられた矩形プレートであり、第１液体噴射チャネル１３Ａ１の少なくとも一部を覆うように配設されている。カバープレート１４には、カバープレート１４の長手方向（Ｙ方向）に延びた平面視矩形穴のインク室８が形成されている。インク室８は、図５に示すように、第１液体噴射チャネル１３Ａ１の基端側と連通している。また、インク室８は、第１液体噴射チャネル１３Ａ１の端から端までカバーできる長さで延在している。カバープレート１４の一面側（第１アクチュエータープレート１３Ａと反対側の面）には、流路部材４２が接合されて重ね合わせられており、インク室８は、流路部材４２の溝部２２に連通している。
【００４３】
カバープレート１５は、第２アクチュエータープレート１３Ｂに重ね合わせられた矩形プレートであり、第２液体噴射チャネル１３Ｂ１の少なくとも一部を覆うように配設されている。カバープレート１５には、カバープレート１５の長手方向（Ｙ方向）に延びた平面視矩形穴のインク室９が形成されている。インク室９は、図５に示すように、第２液体噴射チャネル１３Ｂ１の基端側と連通している。また、インク室９は、第２液体噴射チャネル１３Ｂ１の端から端までカバーできる長さで延在している。カバープレート１５の一面側（第２アクチュエータープレート１３Ｂと反対側の面）には、図２に示す流路部材４３が接合されて重ね合わせられており、インク室９は、流路部材４３の溝部２３に連通している。
【００４４】
ヘッドチップ４１は、液体流路３０を有する。液体流路３０は、図４及び図５に示すように、第１流路３１と、第１流路３１に接続された第２流路３２と、を有する。本実施形態の第１流路３１は、カバープレート１４のインク室８と、流路部材４２の溝部２２とによって形成されている。また、本実施形態の第２流路３２は、カバープレート１５のインク室９と、流路部材４２の溝部２３とによって形成されている。なお、流路部材４２は、図５に示すように、インクに含まれる気泡等をヘッドチップ４１内に入れないようにするため流入口４２ａに設けられたフィルター部材４２ｃを有する。
【００４５】
図５に示すように、第１流路３１には、インク供給配管５１Ａと接続されてインクが流入してくる流入口４２ａが設けられている。一方、第２流路３２には、インク回収配管５１Ｂと接続されてインクが流出していく流出口４３ａが設けられている。このため、インク供給配管５１Ａから供給されたインクは、ヘッドチップ４１内において、流入口４２ａから第１流路３１に流入し、第１流路３１と第２流路３２とを流通した後、流出口４３ａからインク回収配管５１Ｂに回収される一方向の循環流れを形成することとなる。
【００４６】
図４に示すように、第１流路３１は、第１液体噴射チャネル１３Ａ１のそれぞれに対して第１の流れＦ１で液体を供給する。一方、第２流路３２は、第２液体噴射チャネル１３Ｂ１のそれぞれに対して第１の流れＦ１と逆向きの第２の流れＦ２で第１流路３１を流通した液体を供給する。本実施形態では、第１流路３１及び第２流路３２は、所定方向（Ｙ方向）に延在し、並設されている。なお、所定方向とは、第１ノズル列１２Ａ，第２ノズル列１２Ｂの延在方向に対応し、また、第１液体噴射チャネル１３Ａ１，第２液体噴射チャネル１３Ｂ１の一つ一つが延在する方向（Ｚ方向）と直交する方向（チャネル並設方向）に対応する。
【００４７】
液体流路３０は、所定方向の一端側３０Ａにおいて第１流路３１と第２流路３２とを接続する接続路３３と、所定方向の他端側３０Ｂにおいて第１流路３１と第２流路３２とを非接続とする仕切り３４と、を有する。
接続路３３は、図６及び図７に示すように、矩形開口形状を有し、一端側３０Ａにおいて、背面合わせの第１アクチュエータープレート１３Ａ及び第２アクチュエータープレート１３Ｂを厚み方向で貫通して形成されている貫通孔である。仕切り３４は、他端側３０Ｂにおいて、第１アクチュエータープレート１３Ａ及び第２アクチュエータープレート１３Ｂ自体によって形成されている。
【００４８】
なお、第１アクチュエータープレート１３Ａ及び第２アクチュエータープレート１３Ｂは背中合わせにせずに、積層することも可能である。その場合の積層の順番は、例えば上から流路部材４２、カバープレート１４、第１アクチュエータープレート１３Ａ、流路部材４３、カバープレート１５及び第２アクチュエータープレート１３Ｂという順に積層することが可能である。また、「積層する」という本件における定義は、第１アクチュエータープレート１３Ａ及び第２アクチュエータープレート１３Ｂとを直接貼り合わせる場合だけでなく、カバープレートなどを介して第１アクチュエータープレート１３Ａ及び第２アクチュエータープレート１３Ｂとを積層する場合も含むものとする。
【００４９】
図４に示すように、流入口４２ａ及び流出口４３ａは、他端側３０Ｂに設けられている。流入口４２ａは、他端側３０Ｂにおける、第１アクチュエータープレート１３Ａの端部に対応する位置（少なくとも複数の第１液体噴射チャネル１３Ａ１の上流側）に設けられている。また、流出口４３ａは、他端側３０Ｂにおける、第２アクチュエータープレート１３Ｂの端部に対応する位置（少なくとも複数の第２液体噴射チャネル１３Ｂ１の下流側）に設けられている。
【００５０】
液体流路３０においては、貼り合された一方の第１アクチュエータープレート１３Ａ側の端部には流入口４２ａが配置され、貼り合わされた他方の第２アクチュエータープレート１３Ｂ側の端部には仕切り３４を隔てて流入口４２ａの裏側に流出口４３ａが配置される。また、第１流路３１においては流入口４２ａから最も離れた位置において、第２流路３２においては流出口４３ａから最も離れた位置において、第１流路３１と第２流路３２とが接続路３３によって連通している。
【００５１】
このため、液体流路３０においては、流入口４２ａから流入したインクは第１アクチュエータープレート１３Ａ側で第１流路３１を流通した後、第１アクチュエータープレート１３Ａの反対側の端部で、第２アクチュエータープレート１３Ｂ側に回り込む。第２アクチュエータープレート１３Ｂ側は、第１アクチュエータープレート１３Ａ側から回り込んだインクを流出口４３ａまで導く第２流路３２が形成されている。本実施形態の第１流路３１においては、流入口４２ａから接続路３３が設けられた一端側３０Ａに向かってインクが流通する第１の流れＦ１が形成される。また、本実施形態の第２流路３２においては、接続路３３から流出口４３ａが設けられた他端側３０Ｂに向かってインクが流通する第１の流れＦ２が形成される。
【００５２】
続いて、上記構成の液体噴射記録装置１による印字動作について、図８を追加参照しつつ説明する。
図８は、本発明の実施形態における被記録媒体Ｓに対する印字結果を示す概念図である。
なお、図３及び図４に基づいて記載すると、ノズル孔１１は千鳥配列となっている。そのため、第１ノズル列１２Ａ及び第２ノズル列１２Ｂのノズル孔１１に対応する図８のインク滴ａ，ｆの組、インク滴ｂ，ｅの組、およびインク滴ｃ，ｄの組は、厳密にはそれぞれ千鳥配置となっている。例えば、Ｙ方向（図８の紙面左右方向）においてインク滴ｆがインク滴ａとｂの間に位置する。ただし、図８では簡略化のため、各インク滴をＹ方向にずらさずに、Ｘ方向に一致する配置として各インク滴を記載している。この簡略化については、後述する図１１においても同様である。
【００５３】
図１に示すように、液体噴射記録装置１にセットされた被記録媒体Ｓは、搬送手段２によって、液体噴射ヘッド４の下方であって、液体噴射ヘッド４と対向する位置を通過するように搬送される。その搬送過程において、液体噴射ヘッド４から被記録媒体Ｓに向かってインクが噴射されると共に、走査手段６によって液体噴射ヘッド４が被記録媒体Ｓの搬送方向（Ｙ方向）と直交する方向（Ｘ方向）に往復移動する。これにより、被記録媒体Ｓの一面にインクが噴射される。
【００５４】
図２に示すように、この印字動作中、インク供給手段５によって液体噴射ヘッド４にインクが供給される。インク供給手段５は、液体噴射ヘッド４とインクタンク５０との間でインクを循環させる。インクタンク５０のインクは、ポンプ５２Ａによってインク供給配管５１Ａを通り、液体噴射ヘッド４に供給される。液体噴射ヘッド４の液体流路３０を流通したインクは、ポンプ５２Ｂによってインク回収配管５１Ｂを通り、インクタンク５０に回収される。
【００５５】
インク供給配管５１Ａの内部のインクの圧力は、圧力センサ５３Ａによって計測されている。また、インク回収配管５１Ｂの内部のインクの圧力は、圧力センサ５３Ｂによって計測されている。圧力センサ５３Ａ，５３Ｂによって計測されたインクの圧力値は、コントローラ５４に送られる。コントローラ５４は、当該圧力値の差が所定の範囲内に収まるようにポンプ５２Ａ，５２Ｂの駆動を制御する。
【００５６】
インク供給配管５１Ａから液体噴射ヘッド４に供給されたインクは、図５に示すように、フィルター部材４２ｃを通過して、流入口４２ａから液体流路３０に流入する。流入口４２ａから流入したインクは、図４に示すように、第１流路３１を第１の流れＦ１で流通した後、接続路３３により折り返して、逆向きの第２の流れＦ２となって第２流路３２を流通し、流出口４３ａから流出する。インクは、第１流路３１を流通する間に、第１液体噴射チャネル１３Ａ１のそれぞれに対して供給される。また、インクは、第２流路３２を流通する間に、第２液体噴射チャネル１３Ｂ１のそれぞれに対して供給される。
【００５７】
液体流路３０においては、流通過程における不可避的な圧力損失によって、インクの圧力が低下し、流入口４２ａ側と流出口４３ａ側との間に圧力差が生まれる。このため、第１アクチュエータープレート１３Ａの複数の第１液体噴射チャネル１３Ａ１においても端から端でインク圧力差が生じ、さらに、第２アクチュエータープレート１３Ｂの複数の第２液体噴射チャネル１３Ｂ１においても端から端でインク圧力差が生じる。したがって、流入口４２ａから流出口４３ａに向かってノズル順にインクボリュームが漸次低減し、第１ノズル列１２Ａと第２ノズル列１２Ｂのいずれにおいてもノズル列方向（Ｙ方向）に濃淡グラデーションが現れる。
【００５８】
ここで、本実施形態では、第１液体噴射チャネル１３Ａ１のそれぞれに対してインクを供給する第１の流れＦ１と第２液体噴射チャネル１３Ｂ１のそれぞれに対してインクを供給する第２の流れＦ２とは、互いに逆向きとなる。そうすると、第１液体噴射チャネル１３Ａ１に対するインク供給の順序（圧力低下順）と、第２液体噴射チャネル１３Ｂ１に対するインク供給の順序（圧力低下順）が、互いに逆になり、それらが背面合せで設けられているので、第１ノズル列１２Ａと第２ノズル列１２Ｂとから近接した位置に着弾するインクボリュームを均一化することができる。
【００５９】
具体的には、図８に示すように、第１ノズル列１２Ａの流入口４２ａに対し最も近接するノズル孔１１から噴射されたインク滴ａ及び第２ノズル列１２Ｂの流出口４３ａに対し最も近接するノズル孔１１から噴射されたインク滴ｆのインクボリュームは、「大、小」の組となる。一方、第１ノズル列１２Ａの流入口４２ａに対し最も離間するノズル孔１１から噴射されたインク滴ｃ及び第２ノズル列１２Ｂの流出口４３ａに対し最も離間するノズル孔１１から噴射されたインク滴ｄのインクボリュームは、「中、中」の組となる。このように、近接した位置に着弾するインクボリュームの総量を見ると、流入口４２ａ及び流出口４３ａ近くのインク滴ａ，ｆの組と、折り返し位置近くのインク滴ｃ，ｄの組とは略一定量となり、それらの組の間の組（例えば、インク滴ｂ，ｅの組）においても同様に略一定量になる。
【００６０】
したがって、第１ノズル列１２Ａと第２ノズル列１２Ｂとから近接した位置に着弾するインクボリュームは、例えば「大、小」の組や、「中、中」の組等といったように、ボリューム総量として見ると、ノズル列の端から端までの均一化を図ることができる。したがって、ノズル順にインクボリュームが漸次低減することによる見た目の濃淡グラデーションの発生を抑制することができる。
このため、例えば、液体噴射ヘッド４が、ヘッドチップ４１のノズル列の延在方向（Ｙ方向）に複数並んで配置されている場合であっても、隣り合う液体噴射ヘッド４の両ノズル間では、濃淡のコントラストが際立つことがなくなるため、被記録媒体Ｓに対してスジの発生を抑制した高画質のパターンを記録することができる。
【００６１】
また、本実施形態においては、チップ形状も流路もシンプルな構造となるため、構造を安価にできる。さらに、本実施形態においては、第１液体噴射チャネル１３Ａ１及び第２液体噴射チャネル１３Ｂ１の少なくとも一部を覆うカバープレート１４，１５を有し、カバープレート１４，１５が、液体流路３０の少なくとも一部を形成するという構成を採用することによって、液体流路３０の形成のための部品としてカバープレート１４，１５を利用することができるため、製造コストを低減することができる。
【００６２】
また、本実施形態においては、カバープレート１４，１５と協働して液体流路３０を形成する溝部２２，２３を備える流路部材４２，４３を有するという構成を採用することによって、液体流路３０の流路面積を大きくできるため、液体流路３０におけるインクの流通性を確保でき、また、圧力損失の度合いを低減させることができる。
【００６３】
したがって、上述の本実施形態によれば、第１ノズル列１２Ａに連通する複数の第１液体噴射チャネル１３Ａ１を有する第１アクチュエータープレート１３Ａと、第１アクチュエータープレート１３Ａと積層して設けられ、第１ノズル列１２Ａに並設された第２ノズル列１２Ｂに連通する複数の第２液体噴射チャネル１３Ｂ１を有する第２アクチュエータープレート１３Ｂと、インクの流入口４２ａが設けられ、第１液体噴射チャネル１３Ａ１のそれぞれに対して第１の流れＦ１でインクを供給する第１流路３１、及び、第１流路３１と接続されると共にインクの流出口４３ａが設けられ、第２液体噴射チャネル１３Ｂ１のそれぞれに対して第１の流れＦ１と逆向きの第２の流れＦ２で第１流路３１を流通したインクを供給する第２流路３２、を備える液体流路３０と、を有する、という構成を採用することによって、インクの液体流路３０の流通過程における圧力損失に起因するインク噴射時のボリューム差による画質への影響を低減することができる。
さらに、本実施形態のノズル孔１１の解像度は、前述した１８０ｄｐｉという狭いピッチを実現しているため、厳密なノズル孔１１の配列である千鳥配列においても、上述した本実施形態における効果は同様に期待される。
【００６４】
（第２実施形態）
次に、本発明の第２実施形態について説明する。以下の説明において、上述の実施形態と同一又は同等の構成部分については同一の符号を付し、その説明を簡略若しくは省略する。
図９は、本発明の第２実施形態における液体噴射ヘッド４の横断面図である。図１０は、本発明の第２実施形態における液体噴射ヘッド４の縦断面図である。なお、図９に示す矢視Ｃ−Ｃ断面は、図１０に対応する。図１０に示す矢視Ｄ−Ｄ断面は、図９に対応する。
【００６５】
図１０に示すように、第２実施形態では、流路部材４２，４３が設けられておらず、カバープレート１４，１５によって液体流路３０が形成されている点で、上記実施形態と異なる。カバープレート１４には、流入口４２ａが形成され、インク供給配管５１Ａが接続される。また、カバープレート１５には、流出口４３ａが形成され、インク回収配管５１Ｂが接続される。この構成によれば、上記実施形態よりもシンプルな構造となるため、構造をより安価にできる。
【００６６】
また、図９に示すように、第２実施形態では、液体流路３０が、所定方向の一端側３０Ａにおいて第１流路３１と第２流路３２とを接続する第１接続路３３Ａと、所定方向の他端側３０Ｂにおいて第１流路３１と第２流路３２とを接続する第２接続路３３Ｂと、を有し、流入口４２ａ及び流出口４３ａが、一端側３０Ａと他端側３０Ｂとの間の中間位置に設けられている点で、上記実施形態と異なる。
【００６７】
第１接続路３３Ａは、一端側３０Ａにおいて、背面合わせの第１アクチュエータープレート１３Ａ及び第２アクチュエータープレート１３Ｂを厚み方向で貫通し、開口して形成されている貫通孔である。また、第２接続路３３Ｂは、他端側３０Ｂにおいて、背面合わせの第１アクチュエータープレート１３Ａ及び第２アクチュエータープレート１３Ｂを厚み方向で貫通し、開口して形成されている貫通孔である。
【００６８】
液体流路３０においては、貼り合された一方の第１アクチュエータープレート１３Ａ側の中間位置には流入口４２ａが配置され、貼り合わされた他方の第２アクチュエータープレート１３Ｂ側の中間位置には流入口４２ａの裏側に流出口４３ａが配置される。また、第１流路３１においては流入口４２ａから最も離れた位置において、第２流路３２においては流出口４３ａから最も離れた位置において、第１流路３１と第２流路３２とが第１接続路３３Ａ及び第２接続路３３Ｂによってそれぞれ連通している。
【００６９】
このため、液体流路３０においては、中間位置に設けられた流入口４２ａから流入したインクは所定方向（Ｙ方向）両側へ向かう外向き流れ（第１の流れＦ１）となって第１流路３１を流通した後、第１接続路３３Ａ及び第２接続路３３Ｂによりそれぞれ折り返して、中間位置に設けられた流出口４３ａに向かう内向きの流れ（第２の流れＦ２）となって第２流路３２を流通し、流出口４３ａから流出する。このように、第１液体噴射チャネル１３Ａ１のそれぞれに対してインクを供給する第１の流れＦ１と第２液体噴射チャネル１３Ｂ１のそれぞれに対してインクを供給する第２の流れＦ２とは、互いに逆向きとなる。
【００７０】
図１１は、本発明の第２実施形態における被記録媒体Ｓに対する印字結果を示す概念図である。
図１１に示すように、圧力損失によって、第１ノズル列１２Ａの流入口４２ａに対し最も近接するノズル孔１１から噴射されたインク滴ａ及び第２ノズル列１２Ｂの流出口４３ａに対し最も近接するノズル孔１１から噴射されたインク滴ｄのインクボリュームは、「大、小」の組となる。一方、第１ノズル列１２Ａの流入口４２ａに対し最も離間する両端のノズル孔１１から噴射されたインク滴ｂ１，ｂ２及び第２ノズル列１２Ｂの流出口４３ａに対し最も離間する両端のノズル孔１１から噴射されたインク滴ｃ１，ｃ２のインクボリュームは、それぞれの組で「中、中」の関係となる。
【００７１】
このように、折り返し位置の所定方向一端側３０Ａ及び他端側３０Ｂにおいて第１ノズル列１２Ａ及び第２ノズル列１２Ｂから噴射されるインクボリュームは「中、中」の組となり、流入口４２ａ及び流出口４３ａが設けられた所定方向の中間位置において第１ノズル列１２Ａ及び第２ノズル列１２Ｂから噴射されるインクボリュームは「大、小」の組となる。したがって、第２実施形態によれば、上記実施形態と同様に、インクボリューム総量として見ると、ノズル列の端から端までの均一化を図ることができる。
【００７２】
（第３実施形態）
次に、本発明の第３実施形態について説明する。以下の説明において、上述の実施形態と同一又は同等の構成部分については同一の符号を付し、その説明を簡略若しくは省略する。
図１２は、本発明の第３実施形態における液体噴射ヘッド４の縦断面図である。図１３は、本発明の第３実施形態における液体噴射ヘッド４の流入口４２ａ及び流出口４３ａの配置を示す図である。なお、図１２に示す矢視Ｅのヘッドチップ４１は、図１３に対応する。図１３に示す矢視Ｆ−Ｆ断面は、図１２に対応する。
【００７３】
図１２に示すように、第３実施形態では、流路部材４２，４３の代わりにインク室８，９を閉塞する遮蔽板１６，１７が設けられ、カバープレート１４，１５と協働して液体流路３０が形成されている点で、上記実施形態と異なる。この構成によれば、カバープレート１４，１５と平板の遮蔽板１６，１７とで液体流路３０を形成できるため、ヘッドチップ４１を構成する部品単価を安価にできる。なお、第３実施形態では、流路部材４７に流入口４２ａが形成され、インク供給配管５１Ａが接続される。また、流路部材４７に流出口４３ａが形成され、インク回収配管５１Ｂが接続される。遮蔽板１６の一部には、貫通孔１６ａが設けられており、貫通孔１６ａを覆うようにして流路部材４７が取り付けられる。
【００７４】
図１３に示すように、第３実施形態では、液体流路３０において、第１アクチュエータープレート１３Ａの同一側に流入口４２ａと流出口４３ａとが配置される点で、上記実施形態と異なる。液体流路３０は、第１接続路３３Ａ，第２接続路３３Ｂを有する。流入口４２ａ及び流出口４３ａは、他端側３０Ｂにおいて、第１アクチュエータープレート１３Ａ側で仕切り３５を隔てて設けられている。仕切り３５は、カバープレート１４の一部によって形成されている。流入口４２ａ及び流出口４３ａは、他端側３０Ｂにおける、第１アクチュエータープレート１３Ａの端部に対応する位置（少なくとも複数の第１液体噴射チャネル１３Ａ１の上流側）に配置されている。
【００７５】
上記構成の第３実施形態によれば、第１実施形態において図８で示した被記録媒体Ｓに対する印字結果と同様の結果になり、インクボリューム総量として見ると、ノズル列の端から端までの均一化を図ることができる。また、この構成によれば、液体噴射ヘッド４の同一側にインク供給配管５１Ａとインク回収配管５１Ｂとを接続することができるため、配管の取り回しが容易になり、また、一方側に纏めることで液体噴射ヘッド４の幅方向（図１に示すＸ方向）のスリム化を図ることができる。
【００７６】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００７７】
例えば、本発明は、第１液体噴射チャネル１３Ａ１及び第２液体噴射チャネル１３Ｂ１がスリーサイクルタイプだけでなく、溝が吐出溝と非吐出溝とが並設方向に繰り返して形成される独立チャネルタイプのものにも適用可能である。なお、独立チャネルタイプの場合、インク室８にスリットを設けて、吐出溝にインクを供給し、非吐出溝にインクを供給しないよう構成されることとなる。
【００７８】
また、例えば、本発明のヘッドチップ４１、液体噴射ヘッド４及び液体噴射記録装置１で使用可能な液体は、水性インクだけでなく、油性インクや、ソルベントインク、ＵＶインクなども使用可能であり、また、インク以外の他の液体、例えば、無機溶剤、有機溶剤、溶液、液状樹脂、液状金属（金属融液）なども使用可能である。
【符号の説明】
【００７９】
１…液体噴射記録装置、２…搬送手段（被記録媒体搬送部）、４…液体噴射ヘッド、５…インク供給手段（液体供給部）、１２Ａ…第１ノズル列、１２Ｂ…第２ノズル列、１３Ａ…第１アクチュエータープレート、１３Ａ１…第１液体噴射チャネル、１３Ｂ…第２アクチュエータープレート、１３Ｂ１…第２液体噴射チャネル、１４，１５…カバープレート、２２，２３…溝部、３０…液体流路、３０Ａ…一端側、３０Ｂ…他端側、３１…第１流路、３２…第２流路、３３…接続路、３３Ａ…第１接続路、３３Ｂ…第２接続路、３４…仕切り、３５…仕切り、４１…ヘッドチップ、４２…流路部材、４２ａ…流入口、４３…流路部材、４３ａ…流出口、Ｆ１…第１の流れ、Ｆ２…第２の流れ、Ｓ…被記録媒体
【図１】
2013199040.tif 000003
【図２】
2013199040.tif 000004
【図３】
2013199040.tif 000005
【図４】
2013199040.tif 000006
【図５】
2013199040.tif 000007
【図６】
2013199040.tif 000008
【図７】
2013199040.tif 000009
【図８】
2013199040.tif 000010
【図９】
2013199040.tif 000011
【図１０】
2013199040.tif 000012
【図１１】
2013199040.tif 000013
【図１２】
2013199040.tif 000014
【図１３】
2013199040.tif 000015